【手続補正書】
【提出日】平成16年2月19日(2004.2.19)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、電話回線を利用した通信システムに関し、特に送信装置の加入者回線番号を受信装置に通知できる通信システムに関する。
【０００２】
【従来の技術】
従来、電話回線を利用した通信システムは、エレベータの遠隔監視システム、機械警備システム、緊急通報システムなど種々実用化されている。
【０００３】
ここでは、従来の技術について機械警備システムを例に説明する。
【０００４】
機械警備システムは、警備対象である建物に通報装置を設置し、センタ装置と電話回線を介して接続している。
【０００５】
通報装置には、該建物の適所に設置された侵入センサや火災センサが接続されている。
【０００６】
例えば、火災センサが火災を検出すると、火災信号が通報装置から電話回線を介してセンタ装置に通報される。そして、センタ装置にて、該火災信号を受信すると、該監視対象に対処者を向かわせるなど適切な対応をとる。
【０００７】
また、通報装置の故障や電話回線の断線などが発生すると、たとえセンサが火災等を検出しても、センタ装置に信号が伝送されず、機械警備システムが機能しなくなってしまう。
【０００８】
そこで、センサ等が異常を検出していなくても、通報装置から電話回線を介し、センタ装置に定期的に通報を行ない、この定期的な通報の有無によって通報装置及び電話回線が正常であることをセンタ装置にて監視していた。
【０００９】
【発明が解決しようとする課題】
定期的な通報は、火災信号のような監視対象における状態変化情報の通報と異なり、その通報内容自体に重要な意味はない。
【００１０】
また、定期通報の時間間隔を長く設定すると、電話回線の断線等のトラブル発生が、センタ装置に伝わるのが遅くなる。一方、短く設定すると、トラブル発生が伝わるのは早まるが、通報回数の増加に伴い電話回線の接続料金が嵩み、機械警備システムのランニングコストがアップしてセキュリティシステムの普及に支障をきたすことになる。すなわち、通報内容自体に重要性がないにもかかわらず、セキュリティ性を高めるためには、電話回線の接続料金が嵩む。また、受信装置に多数の送信装置が接続されている場合、送信装置の定期通報の時間間隔が短いと、受信装置に接続されている電話回線が混雑する。その結果、重要な状態変化情報（例えば火災信号や侵入者検出信号）の受信装置への伝送が遅れるという課題があった。
【００１１】
そこで、本発明は、通報内容自体に意味のない通報の場合に、電話回線の占有時間を極力減らし、通信効率を上げた通信システムを提供することを目的とする。
【００１２】
【課題を解決するための手段】
第１の発明は、交換機からリングバックトーンを検出すると回線を開放する通信手段を有する送信装置と、交換機から起動信号を受信する起動信号受信手段と、電話回線の閉成及び開放を行う回線閉成／開放手段と、前記交換機から前記送信装置の加入者回線番号を受信する受信手段と、起動信号を受信すると回線を閉成させる回線制御手段とを有する受信装置とを前記送信装置の加入者回線番号を前記受信装置に通知できる交換機と接続した電話回線を利用した通信システムを提供する。
【００１３】
そして、送信内容自体に意味がない通報（例えば、定期通報）をする場合、先ず送信装置からダイヤリングして交換機に選択信号を送出する。この選択信号を交換機が受信すると、交換機は選択された受信装置に対し起動信号を送出する。起動信号を該受信装置が受信すると、該受信装置は電話回線の閉成を行う。電話回線が閉成されると、交換機は、該送信装置が接続されている加入者回線番号を受信装置に送出する。該加入者回線番号を受信すると、受信装置は電話回線を開放する。そして、交換機は、この電話回線の開放を認識すると、リングバックトーンを電話回線を介して送信装置に対して送出する。送信装置は、該リングバックトーンを検出すると、電話回線を開放し通信を終了させる。
【００１４】
これにより、受信装置は、送信装置と受信装置との回線が接続される前に、送信装置から通報があったことを知ることができる。したがって、送信内容自体に意味のない通報のために、電話回線を占有する時間を短くできるのである。また、電話回線の使用料金が課金されることなく、受信装置が送信装置の送信動作をも知ることができる結果、通信システムのランニングコストをも下げることができるのである。
【００１５】
第２の発明は、送信装置の加入者回線番号を受信装置に通知する電話回線を利用した通信システムに使用する送信装置であって、交換機からリングバックトーンを検出すると回線を開放する通信手段を有した送信装置を提供する。
【００１６】
これにより、送信装置と交換機間の加入者回線を占有する時間が短くなるのである。
【００１７】
第３の発明は、送信装置の加入者回線番号を受信装置に通知する電話回線を利用した通信システムに使用する受信装置であって、交換機から起動信号を受信する起動信号受信手段と、前記交換機から前記送信装置の加入者回線番号を受信する受信手段と、前記電話回線の閉成及び開放を行う回線閉成／開放手段と、起動信号を受信すると回線を閉成しその後開放させる回線制御手段と、前記送信装置の加入者回線番号、加入者回線番号通知を受信した時刻を記憶する記憶手段とを有した受信装置を提供するものである。
【００１８】
これにより、受信装置では、交換機から送信動作を行った送信装置が接続されている電話回線の加入者回線番号を受信でき、更に受信した時刻を記憶できるので、送信装置の通報が何時あったかを確認できるのである。
【００１９】
第４の発明は、第１の発明または第２の発明に加え、送信装置は複数の送信先電話番号を記憶しており、送信内容により送信先電話番号を選択することができる通信システムまたは送信装置を提供する。
【００２０】
これにより、送信内容自体に意味のない通報の場合にのみ、専用の受信装置に対して送信操作を行うことができ、送信内容自体に意味のある通報に影響しないようにできる。
【００２１】
【発明の実施の形態】
図１〜図４を参照して、発明の実施の形態を説明する。
【００２２】
図１は、本発明にかかる通信システムのシステム構成を示す図である。通信システムは、送信装置１と受信装置２が交換機３を有する電話回線４にて接続している。
【００２３】
図２は、送信装置１のブロック図を示す。送信装置１は、交換機３の出力するリングバックトーンを検出するリングバックトーン検出手段１１と、電話回線４の閉成／開放を行う回線閉成／開放手段１２と、リングバックトーン検出手段１１からの出力により回線閉成／開放手段１２を制御する回線制御手段１３を有して構成する。
【００２４】
図３は、受信装置２のブロック図である。受信装置２は、登録されている送信装置１が接続されている電話回線の加入者回線番号及び後述する時刻を対応して記憶する記憶手段２１と、交換機３より送出される送信装置１の加入者回線番号等を受信する受信手段２２と、電話回線４の閉成または開放を行う回線閉成／開放手段２３と、電話回線４に接続され交換機３の送出する起動信号を受信する起動信号受信手段２４と、受信手段２２または起動信号受信手段２４からの出力により回線閉成／開放手段２３を制御する回線制御手段２５を有して構成している。
【００２５】
記憶手段２１は、予め送信装置１の接続されている加入者回線番号と加入者回線番号に関連させて該加入者回線番号を最近受信した時刻を記憶しているメモリ２１１と、加入者回線番号を受信手段２２から受信すると計時手段２１３が入力する現時刻を該加入者回線番号に対応してメモリ２１１に記憶させる記憶制御手段２１２にて構成している。
【００２６】
次に、このように構成された通信システムの動作について、図４をもとに説明する。先ず、送信装置１が送信のために電話回線４を閉成すると、交換機３から送信装置１にダイヤルトーンが戻される。そして、送信装置１は、受信装置２の電話番号（選択信号）を交換機３に送出する（ステップ１）。
【００２７】
次に、交換機３は、受信装置２に対して起動信号を送出する。受信装置２では、この起動信号を起動信号受信手段２４にて受信すると、回線制御手段２５から回線閉成／開放手段２３を動作させ、電話回線４を閉成する。次に交換機３は、電話回線４を介して送信装置１の接続されている電話回線の加入者回線番号を送出する。そして、受信装置は、交換機３から送信される該送信装置１の加入者回線番号を受信手段２２にて受信する。受信が完了すると、受信手段２２から回線制御手段２５に出力され、回線制御手段２５から回線閉成／開放手段２３にて電話回線４を開放する。また、記憶制御手段２１２では、計時手段２１３の計時している現在時刻を、メモリ２１１に記憶している加入者回線番号と関連づけて記憶する。（ステップ２）
交換機３は、受信装置２の回線開放を認識すると、送信装置１に対してリングバックトーンを、受信装置２に対して呼出信号をそれぞれ送信する。送信装置１は、該リングバックトーンをリングバックトーン検出手段１１にて検出すると、回線制御手段１３から回線閉成／開放手段１２を制御し、電話回線を開放する。
【００２８】
一方、受信装置２では、呼出信号を受信しても、所定回数以上の呼出信号を受信するまで、電話回線を閉成させないようにしている。（ステップ３）
したがって、受信装置２では、送信装置１との回線が受信装置２とが接続される前に、送信装置１から送信動作があったことを認識できるのである。これによって、電話回線４を占有する時間が極めて短くて済むので、通信効率のよい通信システムが提供できる。また、送信装置１と受信装置２とを接続することなく、受信装置２にて送信装置１及び電話回線４の正常を確認できるので、電話回線の接続料金が必要でなく、頻繁に送信装置１の状態確認が必要な機械警備システムや非常通報システムなどでは、システムの信頼性を安価に向上させることが可能になる。
【００２９】
【実施例】
次に、図５から図１２を参照して、本発明を機械警備システムに適用した場合の第１の実施例を説明する。
【００３０】
図５は、機械警備システムのシステム構成を示す図である。
【００３１】
同図に示すように、機械警備システムは、複数の警備対象である建物に通報装置５がそれぞれ設置され、センタ装置６と電話回線４を介して接続している。センタ装置６は、交換機３と２本の電話回線４ａ、４ｂにて接続されている。そして、４ａは通報装置５から異常通報を受信するための電話回線であり、４ｂは定期通報を受信するための電話回線である。
【００３２】
図６は、通報装置５のブロック図を示す。通報装置５は、図示しない監視対象（以下、物件という。）の適所に設置される火災センサー・侵入センサー等の各種センサーからの信号を受けるセンサ入力部５１、機械警備のセット／解除操作、現状態の表示、各種設定等を行う液晶タッチパネルを用いた操作表示部５２、定期通報の間隔を計時するタイマー５３、電話回線４を介してセンタ装置６と通信を行う通信部５５、通報装置５を動作させるプログラムや各種データを記憶する記憶部５６及びこれらを制御する制御部５４にて構成されている。
【００３３】
図示していないが、通信部５５には電話回線４と交換機３との直流ループの閉成／開放を行うリレー、交換機３からのリングバックトーンを検出する手段が少なくとも設けられている。また、記憶部５６には、図８に示すように物件固有の識別コードである物件コード、センサが異常を検出したとき等に通報を行う為の異常通報用電話番号、定期通報するときの為の電話番号である定期通報用電話番号などを記憶している。
【００３４】
このように構成された通報装置５の通報動作を図１１のフローを参照して説明する。
【００３５】
先ず、通報装置５が物件に設置され電源の投入により、タイマー５３が計時を開始する（Ｓ１０１）。本実施例では、タイマー５３は１５分でタイムアップするものである。なお、タイマー５３の計時する時間は、短いほど定期通報の時間間隔が短くなりセキュリティ性が向上する反面、あまり短いと定期通報だけのために電話回線４の占有時間が長くなることを考慮して適宜の時間が選択される。
【００３６】
そして、Ｓ１０２にて、センサからの異常信号の入力や操作表示部５２からの警備セット操作の入力などがあるか否かを監視している。ここで、火災センサから火災検知信号の入力があると、Ｓ１０９に進み通報動作をする。Ｓ１０９では、通信部５５にて電話回線４と直流ループを閉成する。そして、記憶部５６に記憶されている異常通報用電話番号をダイヤリングする。そして、センタ装置６からの応答信号の受信を待つ（Ｓ１１１）。なお、同図のフローに記載していないが、応答信号が所定時間経過しても受信できない場合や電話回線４がビジー状態であれば一旦直流ループを開放し、Ｓ１０９からの送信動作を繰り返す。
【００３７】
センタ装置６から応答信号を受信すれば、Ｓ１１２にて火災異常信号、物件コード等をセンタ装置６に送出するなどの通信を行う（Ｓ１１２）。
【００３８】
その後、電話回線４の直流ループを開放し（Ｓ１０７）、タイマー５３をリセット（Ｓ１０８）の上、Ｓ１０１に戻る。
【００３９】
一方、Ｓ１０２にて状態変化がない場合、Ｓ１０３に進む。Ｓ１０３では、タイマー５３がタイムアップしたか否か判断している。タイムアップしていない場合は、Ｓ１０２に戻り、物件の状態変化の監視を続ける。タイマー５３がタイムアップすると、通信部５５にて電話回線４の直流ループを閉成する。そして、記憶部５６から定期通報用電話番号を読みだし、ダイヤリングする（Ｓ１０５）。
【００４０】
そして、交換機３からリングバックトーンの受信を検出する（Ｓ１０６）と、直ちに電話回線４の直流ループを開放する（Ｓ１０７）。そして、タイマー５３をリセット（Ｓ１０８）し、Ｓ１０１に戻る。
【００４１】
次に、センタ装置６について説明する。図７は、センタ装置６のブロック図である。センタ装置６は、通報装置５の異常通報信号を受信用の電話回線４ａと接続する異常通報用通信部６１、通報装置５の定期通報を受信用の電話回線４ｂと接続する定期通報用通信部６２、現在時刻を計時する計時部６４、センタ装置６を動作させるプログラムや各種データ等を記憶する記憶部６５、物件の現状態や定期異常の発生等を表示するディスプレイである表示部６６、管制員が異常を確認した場合等に操作する操作部６７、これらのセンタ装置を制御する制御部６３にて構成している。
【００４２】
ここで、センタ装置６が、異常通報受信用の電話回線４ａ、定期通報受信用の電話回線４ｂを有している理由について述べる。
【００４３】
機械警備システムの場合、１台のセンタ装置６に対し、多数の通報装置５が電話回線４を介して接続される。そして、センタ装置６は、交換機３と接続している加入者回線を介してのみ、通報装置５からの通報を受信できるので、この加入者回線の空き状態によって、通報装置５からセンタ装置６への信号伝達に要する時間が決まる。このため、緊急性の高い火災信号や侵入者検出信号等の異常通報と、比較的緊急性の低いが通報回数が多い定期通報とを同じ加入者回線にて受信すると、緊急性の高い異常通報のセンタ装置への到達が定期通報によって邪魔され遅れることが起こり得る。
【００４４】
そこで、本実施例では、センタ装置６に異常通報受信用の電話回線４ａと定期通報受信用電話回線４ｂを接続している。
【００４５】
なお、図９に示すように、記憶部６５は、各顧客毎に物件コード、通報装置の電話番号、定期受信時刻、現状態などを記憶している。
【００４６】
図１２は、センタ装置６の受信動作を示すフローである。
【００４７】
センタ装置６は、情報受信端末起動信号が交換機３から異常通報用通信部６１又は定期通報用通信部６２にて受信するのを監視している（Ｓ２０１）。そして、Ｓ２０１にて、情報受信端末起動信号を受信すると、該受信した電話回線４ａ又は４ｂの直流ループを閉成する（Ｓ２０２）。そして、交換機３より送出される通報装置５が接続されている電話回線の加入者回線番号（以下、通報装置の電話番号という。）を受信し（Ｓ２０３）、その後、該電話回線の直流ループを開放する（Ｓ２０４）。そして、Ｓ２０５にて、定期通報用の電話回線４ｂからの情報受信端末起動信号であったならば、Ｓ２０６に進む。Ｓ２０６では、記憶部６５の定期受信時刻を計時部６４からの入力される現在の時刻に更新記憶し（Ｓ２０６）、Ｓ２０１に戻る。なお。図示していないが、この定期受信時刻から所定時間経過した場合は、定期通報の未受信を表示部６６に表示する。この表示を管制員がみると、該当する物件に対処者を急行させ、物件の安全等の維持を図る。
【００４８】
Ｓ２０５にて、電話回線４ａからの情報受信端末起動信号であったならば、Ｓ２０７に進む。Ｓ２０７では、その後に交換機３から所定時間内に所定回数の呼出信号を受信するか否か監視している。そして、所定時間内に所定回数の呼出信号を受信しなければ（Ｓ２１２）、Ｓ２０１に戻る。一方、呼出信号を受信すると、電話回線４ａの直流ループを閉成し（Ｓ２０８）、通報装置５からの状態信号等を受信する（Ｓ２０９）。そして、表示部６６の表示を変えるとともに、記憶部６５の記憶内容を更新記憶し（Ｓ２１０）、電話回線４ａの直流ループを開放（Ｓ２１１）の上、Ｓ２０６に進む。また、ここで、異常信号を受信した場合は、目だつように表示部６６に異常表示をさせるのが好ましい。そして、異常表示を管制員がみて、対処者を該物件に急行させる等適切に処理される。なお、本フローには記載していないが、センタ装置６が、間違い電話等により呼出信号を受信した場合、通報装置５の信号伝送の場合と異なり、現状態等の信号を受信できず、そのまま直流ループを開放する。
【００４９】
次に、以上に説明してきた構成の機械警備システムの動作を、図１０をもとに説明する。
【００５０】
先ず、通報装置５が定期送信のために電話回線４を閉成すると、交換機３から通報装置５にダイヤルトーンが戻される。そして、通報装置５は、センタ装置６の定期通報用の電話番号（選択信号）を交換機３に送出する。
【００５１】
次に、交換機３は、センタ装置６に接続されている定期通報用の電話回線４ｂに対して情報受信端末起動信号を送出する。センタ装置６の定期通報用通信部６２では、この情報受信端末起動信号を受信すると、回線閉成／開放手段を動作させ、電話回線４ｂの直流ループを閉成する。そして、交換機３から送信される該通報装置５の電話番号を定期通報用通信部６２にて受信する。受信が完了すると、定期通報用受信部６２にて電話回線４ｂの直流ループを開放する。このときに、前述したように、記憶部６５に定期受信時刻を通報装置５の電話番号に関連づけて記憶するとともに、表示部６６の表示を変える。
【００５２】
一方、交換機３は、センタ装置６の定期通報用電話回線４ｂの直流ループの開放を認識すると、通報装置５に対してリングバックトーンを送出する。通報装置５は、該リングバックトーンを通信部５５にて検出すると、電話回線４の直流ループを開放する。
【００５３】
なお、センタ装置６では、呼出信号を受信しても、所定回数以上の呼出信号を受信するまで、電話回線を閉成させないようにしている。
【００５４】
したがって、センタ装置６では、通報装置５とセンタ装置６とが接続される前に、通報装置５から通報動作があったことを認識できるのである。これによって、電話回線４を占有する時間が極めて短くて済むので、通信効率のよい通信システムが提供できる。また、通報装置５とセンタ装置６との回線を接続することなく、センタ装置６にて通報装置５及び電話回線４の正常を確認できるので、電話回線の接続料金が必要でなく、頻繁に通報装置５の状態確認が必要な機械警備システムや非常通報システムなどでは、システムの信頼性を安価に向上させることが可能になる。更に、異常通報受信用の電話回線４ａと定期通報受信用の電話回線４ｂにて、異常通報と定期通報とを区別して受信することにより、異常通報と定期通報の識別が可能になる。そして、機械警備システムにおける緊急度の低い通報（例えば、定期通報）が、緊急度の高い通報（例えば、火災信号や侵入者検出信号の通報）をセンタ装置６に送信することを妨害しない。これによって、機械警備システムのセキュリティ性が向上するのである。
【００５５】
次に、第２の実施例について、図１３〜図１５を参照して説明する。
【００５６】
図１３は、第２の実施例にかかる機械警備システムのシステム構成を示す図である。
【００５７】
同図に示すように、機械警備システムは、複数の警備対象である建物に通報装置７がそれぞれ設置され、センタ装置８と電話回線４を介して接続されている。センタ装置８は、交換機３と１本の電話回線４ｃにて接続されている。ここで、１本の電話回線とは、物理的に１本の電話回線を指すのではなく、異常通報用の電話回線と定期通報用の電話回線とを区別せずに同一の電話回線で受信することを意味する。つまり、第１の実施例の場合は、異常通報受信用の電話回線４ａと定期通報用の電話回線４ｂとに通報の種別によって区別して受信できるようにしていたのを、異常通報と定期通報とを混在して電話回線４ｃにて受信するようにしたものである。
【００５８】
第１の実施例の通報装置５と本実施例の通報装置７とは、通報装置５が通報先電話番号を２箇所記憶しているのに対し、通報装置７は通報先電話番号を１箇所記憶し、異常通報と定期通報の通報先を同じにしている点が異なる。
【００５９】
また、第１の実施例のセンタ装置６と本実施例のセンタ装置８とは、センタ装置６が異常通報用通信部と定期通報用通信部を有し、２本の電話回線にそれぞれ個別に接続しているのに対し、センタ装置８で１本の電話回線４ｃに１つの通信部を有している点と、後述する受信信号の処理動作が異なる。その他の点については、第１の実施例と基本的に同じであるので説明を省略する。
【００６０】
図１５を参照して、センタ装置８の動作について説明する。
【００６１】
センタ装置８は、情報受信端末起動信号を交換機３から受信するまで待機している（Ｓ３０１）。そして、Ｓ３０１にて、情報受信端末起動信号を受信すると、該受信した電話回線４ｃの直流ループを閉成する（Ｓ３０２）。そして、交換機３を介して送出される当該通報装置７の加入者回線番号（以下、通報装置の電話番号という。）を受信し（Ｓ３０３）、その後、電話回線４ｃの直流ループを開放する（Ｓ３０４）。そして、Ｓ３０５にて、交換機３から送出される呼出信号の数をカウントし、所定回数例えば３回をカウントするとＳ３０７に進む。一方、所定時間内に呼出信号を３回カウントしなければ、Ｓ３０６に進み定期受信時刻を更新しＳ３０１に戻る。なお、通報装置７は、リングバックトーンを検出すると、電話回線４の直流ループを開放するので、交換機３から呼出信号が何回も送出されることはない。このため、前記所定回数は、通報装置７がリングバックトーンを受信した後に、直流ループを開放するまでに交換機３から送出される呼出信号の数より多い数に適宜設定される。
【００６２】
Ｓ３０７では、電話回線４ｃの直流ループを閉成し、通報装置７からの状態信号等を受信する（Ｓ３０８）。そして、表示部の表示を変えるとともに、記憶部の記憶内容を更新記憶し（Ｓ３０９）、電話回線４ｃの直流ループを開放（Ｓ３１０）の上、Ｓ３０６に進む。
【００６３】
図１４を参照して、第２の実施例の機械警備システムの動作について説明する。
【００６４】
先ず、通報装置７が異常通報のために電話回線４を閉成すると、交換機３から通報装置７にダイヤルトーンが戻される。そして、通報装置７は、センタ装置８にセンタ装置８の電話番号（選択信号）を交換機３に送出する。
【００６５】
次に、交換機３は、センタ装置８に接続されている電話回線４ｃに対して情報受信端末起動信号を送出する。センタ装置８は、電話回線４ｃの直流ループを閉成する。そして、交換機３から送信される該通報装置７の電話番号を受信する。受信が完了すると、電話回線４ｃの直流ループを開放する。交換機３は、センタ装置８の電話回線４ｃの直流ループの開放を認識すると、電話回線４ｃを介し通報装置７に対してリングバックトーンを送出する。通報装置７は、該リングバックトーンを受信しても、異常通報のときは直流ループを開放せず、センタ装置８からの応答信号を待つ。そして、センタ装置８にて交換機３から送出される呼出信号が所定回数（本実施例では、３回）受信すると、電話回線４ｃの直流ループを閉成する。以上により、通報装置７とセンタ装置８とが電話回線４にて接続されたこととなる。そして、センタ装置８が図示しない応答信号を通報装置７に送出する。通報装置７は該応答信号を受信すると、センタ装置８に異常信号、物件状態等の送出を開始する。その後、通信が終了すると、通報装置７及びセンタ装置８はそれぞれ電話回線４の直流ループを開放し、通報動作を終了させる。
【００６６】
また、定期通報の場合は、同図のＡにて、通報装置７がリングバックトーンを受信すると、電話回線４の直流ループを開放するので、交換機３からセンタ装置８に呼出信号が３回送出されない。このため、センタ装置８にて電話回線４ｃの直流ループを再度閉成せず、定期受信時刻を更新する処理を行い定期通報処理を終了する。
【００６７】
これによって、センタ装置８を１本の電話回線とした場合であっても、異常通報と定期通報を区別して処理が行える。
【００６８】
本実施例では、定期通報と異常通報とを呼出信号の受信回数にて区別したが、異常通報の場合は、通報装置７からダイヤリングする際に加入者回線番号の通知を拒否するコード（例えば、センタ装置８の電話番号の先頭に「１８４」）を付加させ、定期通報の場合は付加させないようにし、異常通報と定時通報とをセンタ装置８にて区別することもできる。
【００６９】
この場合は、センタ装置８の処理は、図１５におけるＳ３０５を変更すれば実現できる。すなわち、Ｓ３０３にて、交換機３から電話回線４ｃを介してセンタ装置８に送出された信号に通報装置７の電話番号が含まれていると、Ｓ３０５にて定期通報と判断する。一方、通報装置７の電話番号が含まれていないと、異常通報と判断するようにする。そして、定期通報を判断すれば、Ｓ３０６の処理を行い、異常通報と判断すれば、Ｓ３０７の処理に移行する。
【００７０】
この方式であれば、第２の実施例の場合に比べ、呼出信号をカウントする時間分だけ短縮され、異常信号がセンタ装置に早く到達できる。